(57)【要約】【課題】ショッピングモール広告主とユーザとを連結し、広告効果を向上させることができるショッピング広告登録システムおよび方法を提供する。【解決手段】ショッピング広告登録システムおよび方法が開示される。ショッピング広告登録システムは、ショッピングモール広告主の販売商品に関連するリンクが含まれるショッピングキャストを発行することのできる権利である発行権をショッピングモール広告主に販売してもよい。また、ショッピング広告登録システムは、ショッピングキャストを表示することのできる権利である表示権を広告主に販売してもよい。ショッピング広告登録システムは、ショッピングキャストを発行し、表示することのできる権利をショッピングモール広告主に販売することによって、ショッピングモール広告主のショッピング広告の効果を向上させることができる。【選択図】図３
2011154686.tif 000002
【特許請求の範囲】
【請求項１】
ショッピングモール広告主による販売商品に関連するショッピングキャストを発行することのできる権利である発行権に対する購入要求を処理する発行権購入部と、
前記発行権を購入したショッピングモール広告主のショッピングキャストをユーザに提供するキャスト提供部と、
を含むことを特徴とするショッピング広告登録システム。
【請求項２】
前記ショッピングキャストは、前記ショッピングモール広告主の商品情報ページまたは商品購入ページに接続することのできるリンクを含むことを特徴とする請求項１に記載のショッピング広告登録システム。
【請求項３】
前記発行権購入部は、前記ショッピングキャストを前記ショッピングキャストページを介して発行することのできる期間情報を前記ショッピングモール広告主から受信し、
前記キャスト提供部は、前記ショッピングモール広告主から受信した期間情報に応じて前記ショッピングキャストを前記ユーザに提供することを特徴とする請求項１に記載のショッピング広告登録システム。
【請求項４】
前記ショッピングモールキャストの発行権に対して前記ショッピングモール広告主に課金を行う課金部をさらに含むことを特徴とする請求項１に記載のショッピング広告登録システム。
【請求項５】
前記課金部は、前記ショッピングモール広告主の発行権購入に対して前記ショッピングキャストの期間情報に応じて課金を行い、または前記発行権に基づいて発行された前記ショッピングキャストに対する前記ユーザのクリック情報に応じて課金を行うことを特徴とする請求項４に記載のショッピング広告登録システム。
【請求項６】
前記キャスト提供部は、前記ユーザが選択したショッピングキャストの購読情報を受信し、前記ユーザが購読したショッピングキャストを提供することを特徴とする請求項１に記載のショッピング広告登録システム。
【請求項７】
前記ショッピングキャストページは、前記ショッピングモール広告主により予め設定された順位付け基準に基づき、前記ショッピングキャストが順位付けされて表示されるページであることを特徴とする請求項１に記載のショッピング広告登録システム。
【請求項８】
ショッピングモール広告主による販売商品に関連するショッピングキャストを発行することのできる権利である発行権に対する購入要求を処理する発行権購入部と、
前記ショッピングキャストの発行権を購入したショッピングモール広告主から前記ショッピングキャストを表示することのできる権利である表示権に対する購入要求を処理する表示権購入部と、
前記発行権および前記表示権を購入した前記ショッピングモール広告主のショッピングキャストをユーザに提供するキャスト提供部と、
を含むことを特徴とするショッピング広告登録システム。
【請求項９】
前記ショッピングキャストは、前記ショッピングモール広告主の商品情報ページまたは商品購入ページに接続することのできるリンクを含むことを特徴とする請求項８に記載のショッピング広告登録システム。
【請求項１０】
前記発行権購入部は、前記ショッピングキャストを前記ショッピングキャストページを介して発行できる期間情報を前記ショッピングモール広告主から受信し、
前記キャスト提供部は、前記ショッピングモール広告主から受信した前記期間情報に応じて前記ショッピングキャストを前記ユーザに提供することを特徴とする請求項８に記載のショッピング広告登録システム。
【請求項１１】
前記表示権購入部は、前記ショッピングキャストをメインページを介して表示するための入札額を前記発行権を購入したショッピングモール広告主から受信し、前記入札額に基づいて前記メインページに表示するショッピングキャストを決定することを特徴とする請求項８に記載のショッピング広告登録システム。
【請求項１２】
前記ショッピングモールキャストの発行権または表示権に対して前記ショッピングモール広告主に課金を行う課金部をさらに含むことを特徴とする請求項８に記載のショッピング広告登録システム。
【請求項１３】
前記課金部は、前記ショッピングモール広告主の発行権購入に対して前記ショッピングキャストの期間情報に応じて課金を行い、または前記ショッピングキャストの表示権に対する落札額または前記発行権に基づいて発行されたショッピングキャストに対する前記ユーザのクリック情報に応じて課金を行うことを特徴とする請求項１２に記載のショッピング広告登録システム。
【請求項１４】
前記キャスト提供部は、前記ユーザが選択したショッピングキャストの購読情報を受信し、前記ユーザが購読したショッピングキャストを提供することを特徴とする請求項８に記載のショッピング広告登録システム。
【請求項１５】
前記ショッピングキャストページは、前記ショッピングモール広告主により予め設定された順位付け基準に基づき、前記ショッピングキャストが順位付けされて表示されるページであることを特徴とする請求項８に記載のショッピング広告登録システム。
【請求項１６】
ショッピングモール広告主による販売商品に関連するショッピングキャストを発行することのできる権利である発行権に対する購入要求を処理し、
前記発行権を購入したショッピングモール広告主のショッピングキャストをユーザに提供すること、
を含むことを特徴とするショッピング広告登録方法。
【請求項１７】
前記ショッピングキャストは、前記ショッピングモール広告主の商品情報ページまたは商品購入ページに接続することのできるリンクを含むことを特徴とする請求項１６に記載のショッピング広告登録方法。
【請求項１８】
前記発行権に対する購入要求を処理することは、前記ショッピングキャストを前記ショッピングキャストページを介して発行することのできる期間情報を前記ショッピングモール広告主から受信し、
前記ショッピングキャストを前記ユーザに提供することは、前記ショッピングモール広告主から受信した前記期間情報に応じて前記ショッピングキャストを前記ユーザに提供することを含むことを特徴とする請求項１６に記載のショッピング広告登録方法。
【請求項１９】
前記ショッピングモールキャストの発行権に対して前記ショッピングモール広告主に課金を行うことをさらに含むことを特徴とする請求項１６に記載のショッピング広告登録方法。
【請求項２０】
前記ショッピングモール広告主に課金を行うことは、前記ショッピングモール広告主の発行権購入に対して前記ショッピングキャストの期間情報に応じて課金を行い、または前記発行権に基づいて発行されたショッピングキャストに対する前記ユーザのクリック情報に応じて課金を行うことを含むことを特徴とする請求項１９に記載のショッピング広告登録方法。
【請求項２１】
前記ショッピングキャストを前記ユーザに提供することは、前記ユーザが選択したショッピングキャストの購読情報を受信し、前記ユーザが購読したショッピングキャストを提供することを含むことを特徴とする請求項１６に記載のショッピング広告登録方法。
【請求項２２】
前記ショッピングキャストページは、前記ショッピングモール広告主により予め設定された順位付け基準に基づき、前記ショッピングキャストが順位付けされて表示されるページであることを特徴とする請求項１６に記載のショッピング広告登録方法。
【請求項２３】
ショッピングモール広告主による販売商品に関連するショッピングキャストを発行することのできる権利である発行権に対する購入要求を処理し、
前記ショッピングキャストの発行権を購入したショッピングモール広告主による前記ショッピングキャストを表示することのできる権利である表示権に対する購入要求を処理し、
前記発行権および前記表示権を購入したショッピングモール広告主の前記ショッピングキャストをユーザに提供すること、
を含むことを特徴とするショッピング広告登録方法。
【請求項２４】
前記ショッピングキャストは、前記ショッピングモール広告主の商品情報ページまたは商品購入ページに接続することのできるリンクを含むことを特徴とする請求項２３に記載のショッピング広告登録方法。
【請求項２５】
前記発行権に対する購入要求を処理することは、前記ショッピングキャストを前記ショッピングキャストページを介して発行することのできる期間情報を前記ショッピングモール広告主から受信し、
前記ショッピングキャストを前記ユーザに提供することは、前記ショッピングモール広告主から受信した前記期間情報に応じて前記ショッピングキャストを前記ユーザに提供することを特徴とする請求項２３に記載のショッピング広告登録方法。
【請求項２６】
前記表示権に対する購入要求を処理することは、前記ショッピングキャストをメインページを介して表示するための入札額を前記発行権を購入したショッピングモール広告主から受信し、前記入札額に基づいて前記メインページに表示するショッピングキャストを決定することを特徴とする請求項２３に記載のショッピング広告登録方法。
【請求項２７】
前記ショッピングモールキャストの発行権または表示権に対して前記ショッピングモール広告主に課金を行うことをさらに含むことを特徴とする請求項２３に記載のショッピング広告登録方法。
【請求項２８】
前記ショッピングモール広告主に課金を行うことは、前記ショッピングモール広告主の発行権購入に対して前記ショッピングキャストの前記期間情報に応じて課金を行い、または前記ショッピングキャストの表示権に対する落札額または前記発行権に基づいて発行された前記ショッピングキャストに対する前記ユーザのクリック情報に応じて課金を行うことを特徴とする請求項２７に記載のショッピング広告登録方法。
【請求項２９】
前記ショッピングキャストをユーザに提供することは、前記ユーザが選択したショッピングキャストの購読情報を受信し、前記ユーザが購読したショッピングキャストを提供することを特徴とする請求項２３に記載のショッピング広告登録方法。
【請求項３０】
前記ショッピングキャストページは、前記ショッピングモール広告主により予め設定された順位付け基準に基づき、前記ショッピングキャストが順位付けされて表示されるページであることを特徴とする請求項２３に記載のショッピング広告登録方法。
【請求項３１】
請求項１６から請求項３０のいずれか１項に記載のショッピング広告登録方法を実行するためのプログラムが記録されたコンピュータで読み出し可能な記録媒体。
【発明の詳細な説明】
【技術分野】
【０００１】
本発明は、ショッピング広告登録システムおよび方法に関し、より詳しくは、ショッピングモール広告主に対して販売商品に関連するショッピングキャストの発行権または表示権を販売し、ショッピングモール広告主のショッピングキャストをユーザに提供するシステムおよび方法に関する。
【背景技術】
【０００２】
インターネットの使用が急増するにつれて、オンラインショッピングモールを介して商品を購入するユーザも増加しつつある。商品を購入するための最も一般的な方法は、ユーザがショッピングモールを運用するショッピングモール広告主の商品販売サイトに直接接続して商品を購入する方法である。しかし、このような方法は、ユーザが多くの商品販売サイトのアドレスを探して直接訪問しなければならないという問題がある。また、ショッピングモールの広告主にとっても自身の商品販売サイトをユーザに表示させることが難しいという問題があるため、容易にユーザに対して広告することのできる手段が求められている。
【０００３】
このような問題を解決するために、ショッピングモール広告主の商品販売サイトを仲介する仲介サイトが発生した。しかし、このような仲介サイトも、単に商品販売サイトとユーザとの間を連結することに焦点が置かれているだけであって、どのようにして効率よく商品販売サイトとユーザとを連結するかという問題は依然として存在している。
【０００４】
特に、多くのユーザがトップページに登録しており、流入トラフィック量の極めて多いポータルサイトを介してショッピングモール広告主が自身の商品販売を行うことを所望する場合、当該ポータルサイトを運用する者にとって、ショッピングモール広告主のショッピング広告をより効果的に表示し、それによって収益を獲得する方法が必要となる。
【発明の概要】
【発明が解決しようとする課題】
【０００５】
本発明は、ショッピングモール広告主の販売商品に関連するリンクを含むショッピングキャスト（ｓｈｏｐｐｉｎｇ  ｃａｓｔ）をショッピングキャストページに発行することのできる権利である発行権をショッピングモール広告主に対して販売することによって、ショッピングモール広告主とユーザとを連結し、広告効果を向上させたショッピング広告登録システムおよび方法を提供する。
【０００６】
本発明は、ショッピングモール広告主の販売商品に関連するリンクを含むショッピングキャストをポータルサイトのメインページに表示することのできる権利である表示権をショッピングモール広告主に販売することによって、ショッピングモール広告主の広告効果を向上させるショッピング広告登録システムおよび方法を提供する。
【０００７】
本発明は、ショッピングキャストの発行権および表示権に対して課金を行うことによって、ショッピング広告登録システムを運用する主体が広告表示による収益を確保するショッピング広告登録システムおよび方法を提供する。
【課題を解決するための手段】
【０００８】
本発明の一実施形態に係るショッピング広告登録システムは、ショッピングモール広告主による販売商品に関連するショッピングキャストを発行することのできる権利である発行権に対する購入要求を処理する発行権購入部と、発行権を購入したショッピングモール広告主のショッピングキャストをユーザに提供するキャスト提供部とを含んでもよい。
【０００９】
本発明の一実施形態に係るショッピング広告登録システムは、ショッピングモールキャストの発行権に対してショッピングモール広告主に課金を行う課金部をさらに含んでもよい。
【００１０】
本発明の他の一実施形態に係るショッピング広告登録システムは、ショッピングモール広告主による販売商品に関連するショッピングキャストを発行することのできる権利である発行権に対する購入要求を処理する発行権購入部と、ショッピングキャストに対する発行権を購入したショッピングモール広告主によるショッピングキャストを表示することのできる権利である表示権に対する購入要求を処理する表示権購入部と、発行権および表示権を購入したショッピングモール広告主のショッピングキャストをユーザに提供するキャスト提供部とを含んでもよい。
【００１１】
本発明の他の一実施形態に係るショッピング広告登録システムは、ショッピングモールキャストの発行権または表示権に対してショッピングモール広告主に課金を行う課金部をさらに含んでもよい。
【００１２】
本発明の一実施形態に係るショッピング広告登録方法は、ショッピングモール広告主による販売商品に関連するショッピングキャストを発行することのできる権利である発行権に対する購入要求を処理し、発行権を購入したショッピングモール広告主のショッピングキャストをユーザに提供することを含んでもよい。
【００１３】
本発明の一実施形態に係るショッピング広告登録方法は、ショッピングモールキャストの発行権に対して前記ショッピングモール広告主に課金を行うことをさらに含んでもよい。
【００１４】
本発明の他の一実施形態に係るショッピング広告登録方法は、ショッピングモール広告主による販売商品に関連するショッピングキャストを発行することのできる権利である発行権に対する購入要求を処理し、ショッピングキャストに対する発行権を購入したショッピングモール広告主によるショッピングキャストを表示することのできる権利である表示権に対する購入要求を処理し、発行権および表示権を購入したショッピングモール広告主のショッピングキャストをユーザに提供することを含んでもよい。
【００１５】
本発明の他の一実施形態に係るショッピング広告登録方法は、ショッピングモールキャストの発行権または表示権に対してショッピングモール広告主に課金を行うことをさらに含んでもよい。
【発明の効果】
【００１６】
本発明の一実施形態によれば、ショッピングモール広告主の販売商品に関連するリンクを含むショッピングキャストをショッピングキャストページに発行することのできる権利である発行権をショッピングモール広告主に販売することによって、ショッピングモール広告主とユーザとを連結し、広告効果を向上させることができる。
【００１７】
本発明の一実施形態によれば、ショッピングモール広告主の販売商品に関連するリンクを含むショッピングキャストをポータルサイトのメインページに表示することのできる権利である表示権をショッピングモール広告主に販売することによって、ショッピングモール広告主の広告効果を向上させることができる。
【００１８】
本発明の一実施形態によれば、発行権および表示権に対して課金を行うことによって、ショッピング広告登録システムを運用する主体が広告表示による収益を確保することができる。
【図面の簡単な説明】
【００１９】
【図１】本発明の一実施形態に係るショッピング広告登録システムの全体構成を示す図である。
【図２】本発明の一実施形態に係るショッピング広告登録システムの細部構成を示す図である。
【図３】本発明の一実施形態に係るショッピング広告登録システムにおけるショッピングモール広告主がショッピングキャストの発行権および表示権を購入する過程を示す図である。
【図４】本発明の一実施形態に係るショッピング広告登録システムにおけるショッピングキャストの一例を示す図である。
【図５】本発明の一実施形態に係るショッピング広告登録システムにおける発行権の購入に関連する情報を示す図である。
【図６】本発明の一実施形態に係るショッピング広告登録システムにおけるショッピングキャストを発行するショッピングキャストページを示す図である。
【図７】本発明の一実施形態に係るショッピング広告登録システムにおけるショッピングキャストを表示するメインページを示す図である。
【図８】本発明の一実施形態に係るショッピング広告登録システムにおけるショッピングキャストの発行権の購入過程とショッピングキャストに対する課金過程を示すフローチャートである。
【図９】本発明の一実施形態に係るショッピング広告登録システムにおけるショッピングキャストの発行権および表示権の購入過程とショッピングキャストに対する課金過程を示すフローチャートである。
【発明を実施するための形態】
【００２０】
以下、本発明の実施形態を添付の図面を参照して詳細に説明する。
【００２１】
図１は、本発明の一実施形態に係るショッピング広告登録システムの全体構成を示す図である。
【００２２】
図１に示すように、ショッピングモール広告主１０２は、ショッピング広告登録システム１００に自身が販売しようとする商品に関連するショッピング広告を登録してもよい。このとき、ショッピングモール広告主１０２は複数であってもよい。
【００２３】
例えば、ショッピングモール広告主１０２は、ショッピング広告登録システム１００を介して販売商品に関連するショッピングキャストをショッピングキャストページ１０３に発行することのできる権利である発行権（ｉｓｓｕｅ  ｒｉｇｈｔ）を購入してもよい。また、ショッピングモール広告主１０２は、ショッピング広告登録システム１００を介して販売商品に関連するショッピングキャストをメインページ１０４に表示することのできる権利である表示権（ｅｘｐｏｓｕｒｅ  ｒｉｇｈｔ）を購入してもよい。このとき、ショッピングキャストページ１０３およびメインページ１０４は、ページ提供システム１０１を介してユーザ１０５にショッピングキャストを提供してもよい。ここで、ショッピングキャストとは、ショッピングモール広告主１０２のショッピングモール単位ごとの販売商品に関連するリンクを含む文書を意味する。本発明のショッピング広告とは、ショッピングキャストに対応する。ショッピングキャストには、ショッピングモール広告主１０２が販売する商品の画像、当該商品の説明文により構成されてもよい。ショッピングキャストの構成については図４を参照してより具体的に説明する。
【００２４】
図１において、ショッピング広告登録システム１００とページ提供システム１０１との運用主体は同一であり、または異なってもよい。また、ページ提供システム１０１は、複数のユーザが接続するポータルサイトをユーザに提供してもよい。この場合、メインページ１０４とは、ユーザがポータルサイトに接続したときにユーザに表示されるポータルサイトのトップページを意味する。また、ショッピングキャストページ１０３とは、ショッピングモール広告主１０２のショッピングキャストが提供されるページを意味する。システムの構成により、ショッピングキャストページ１０３とメインページ１０４とは同一であってもよいが、本発明ではショッピングキャストページ１０３とメインページ１０４とが分離している場合について説明する。
【００２５】
図２は、本発明の一実施形態に係るショッピング広告登録システムの細部構成を示す図である。
【００２６】
図２に示すように、ショッピング広告登録システム１００は、発行権購入部２０１、表示権購入部２０２、ショッピングキャスト提供部２０３、および課金部２０４を含んでもよい。
【００２７】
発行権購入部２０１は、ショッピングモール広告主による販売商品に関連するショッピングキャストを発行することのできる権利である発行権に対する購入要求を処理してもよい。上記で説明したように、ショッピングキャストとは、ショッピングモール広告主の商品を直接購入することのできるリンクを含む文書を意味する。当該リンクは、ショッピングモール広告主の商品情報ページまたは商品購入ページに接続することのできるリンクを意味する。また、ショッピングキャストはショッピングモール単位で構成されてもよい。
【００２８】
例えば、ショッピングモール広告主は、ショッピング広告登録システム１００に対して、ショッピングキャストを発行することのできる期間、ショッピングキャストの発行が開始される時点を含む期間情報を入力してもよい。また、ショッピングモール広告主がショッピングキャストを発行することのできる期間に対してショッピングモール広告主に課金される金額を充填すると、当該ショッピングキャストの発行権が登録される。
【００２９】
ショッピングキャストは、ショッピングキャストページを介して発行されてもよい。ショッピングキャストページとは、ショッピング広告登録システム１００に登録されたショッピングキャストを表示するページを意味する。
【００３０】
表示権購入部２０２は、ショッピングモール広告主によるショッピングキャストを表示することのできる権利である表示権に対する購入要求を処理してもよい。例えば、表示権購入部２０２は、発行権の購入を完了したショッピングモール広告主を対象にして、表示権に対する購入要求を処理してもよい。すなわち、ショッピングモール広告主は、ショッピングキャストの発行権の購入を完了しなければ、表示権を購入することができない。ショッピングキャストを外部に表示するために、ショッピングモール広告主は少なくとも発行権を購入しなければならないが、表示権を購入することはショッピングモール広告主の選択事項である。
【００３１】
このとき、表示権購入部２０２は、発行権を購入する場合とは異なり、ショッピングモール広告主による表示権に対する入札を行なってもよい。すなわち、ショッピングモール広告主は、表示権を購入するための入札額を表示権購入部２０２に入力してもよい。その後、表示権購入部２０２は、表示権に対して少なくとも１つのショッピングモール広告主が入力した入札額に基づいてメインページに表示するショッピングキャストを決定してもよい。表示権購入部２０２は、少なくとも１つのショッピングモール広告主が入力した入札額の高い順に表示権に対する落札者を決定してもよい。その後、落札者のショッピングキャストの表示権が登録される。この場合、落札者のショッピングキャストのショッピングモール名がメインページにローリングして表示されてもよい。
【００３２】
ショッピングキャスト提供部２０３は、発行権を購入したショッピングモール広告主のショッピングキャストをユーザに提供してもよい。またはショッピングキャスト提供部２０３は、発行権および表示権を購入したショッピングモール広告主のショッピングキャストをユーザに提供してもよい。ショッピングキャスト提供部２０３が、図１に示すページ提供システム１０１にショッピングキャストの発行権の登録情報を伝達すると、ページ提供システム１０１は、ショッピングキャストページを介してユーザにショッピングキャストを発行する。このとき、ページ提供システム１０１は、登録情報に含まれる発行権の期間情報に基づいてショッピングキャストページを介してショッピングキャストを発行してもよい。ここで、ショッピングキャストページは、ショッピングモール広告主により予め設定された順位付け基準に基づき、ショッピングキャストが順位付けされて表示されるページであってもよい。具体的には、予め設定された順位付け基準は、最近アップデート順、人気クリック順、購読が多い順、ユーザが購読したショッピングキャストを含んでもよい。
【００３３】
また、ショッピングキャスト提供部２０３が、図１に示すページ提供システム１０１にショッピングキャストの表示権の登録情報を伝達すると、ページ提供システム１０１はメインページを介してユーザにショッピングキャストを表示する。上記で説明したように、メインページとはポータルサイトのトップページを意味する。
【００３４】
表示権に関して、ページ提供システム１０１が存在しない場合は、ショッピングキャスト提供部２０３が、ショッピングキャストの発行権に基づいてショッピングキャストページを介してショッピングキャストを発行してもよい。また、ショッピングキャスト提供部２０３は、ショッピングキャストの表示権に基づいてメインページを介してショッピングキャストを表示してもよい。
【００３５】
ショッピングキャスト提供部２０３は、ユーザが選択したショッピングキャストの購読情報を受信し、ユーザが購読したショッピングキャストを提供してもよい。課金部２０４は、ショッピングモールキャストの発行権に対して、ショッピングモール広告主に課金してもよい。また、課金部２０４は、ショッピングモールキャストの発行権または表示権に対してショッピングモール広告主に課金してもよい。例えば、課金部２０４は、ショッピングモール広告主の発行権の購入に対して、ショッピングキャストの期間情報に応じて課金してもよい。また、課金部２０４はショッピングキャストの表示権に対する落札額に応じて課金してもよい。また、課金部２０４は、発行権に基づいて発行されたショッピングキャストに対するユーザのクリック情報に応じて課金してもよい。
【００３６】
図３は、本発明の一実施形態に係るショッピング広告登録システムにおけるショッピングモール広告主がショッピングキャストの発行権および表示権を購入する過程を示す図である。
【００３７】
ショッピングモール広告主１０２は、ショッピング広告登録システム１００を介して発行権３０２を購入してもよい。発行権３０２とは、ショッピングモール広告主がショッピングキャストページ１０３を介して自身のショッピングキャスト３０１をユーザ１０５に対して発行することのできる権利を意味する。また、ショッピングモール広告主１０２は、ショッピング広告登録システム１００を介して表示権３０３を購入してもよい。表示権３０３とは、ショッピングモール広告主がメインページ１０４を介して自身のショッピングキャスト３０１をユーザ１０５に対して表示することのできる権利を意味する。例えば、ショッピングモール広告主１０２は、発行権を購入した場合、さらに表示権を購入してもよい。
【００３８】
本発明の一実施形態によれば、ショッピングキャスト３０１を発行することのできる発行権３０２をショッピングモール広告主１０２に優先的に販売することによって、ユーザに対してショッピングキャストが最小限に表示される。また、より積極的にショッピングキャスト３０１をユーザーに提供しようとするショッピングモール広告主１０２は、表示権３０３を購入することによって、メインページ１０４を介して追加的にショッピングキャスト３０１を表示する。ショッピングキャストページ１０３およびメインページ１０４に関する説明は、上記で具体的に説明したとおりである。
【００３９】
ショッピングキャスト３０１は、ショッピングモール広告主１０２の販売商品に関連するリンクを含んでもよい。ショッピングキャスト３０１は、別のインタフェースを介して提供されるテンプレートによって製作されてもよい。また、ショッピングキャスト３０１は、商品に関連する画像またはテキストを含んでもよい。ショッピングキャスト３０１のインタフェースはシステムの構成に応じて変更されてもよい。
【００４０】
図４は、本発明の一実施形態に係るショッピング広告登録システムにおけるショッピングキャストの一例を示す図である。
【００４１】
図４に示すように、ショッピングキャストは、ショッピングモール広告主が販売する商品に関連する画像およびテキストから構成されてもよい。このとき、画像およびテキストは、ショッピングモール広告主の商品を購入することのできるページおよびリンクに接続されてもよい。ショッピングキャストに含まれる画像およびテキストは、ショッピングモール広告主の要求に応じてその種類および位置が変更されてもよい。画像およびテキストは、テンプレートに応じて配置されてもよい。また、状況に応じて他のショッピングモール広告主のショッピングモール名がリストされてもよい。
【００４２】
ショッピングモール広告主は発行権を購入することによって、ショッピングキャストページにショッピングキャストを発行することのできる権利を取得する。すなわち、ショッピングモール広告主が図４に示すショッピングキャストを有する場合でも、発行権を購入しなければショッピングキャストを外部に公開できる権利を取得することができない。例えば、ショッピングモール広告主が発行権を購入した場合、ショッピングキャストは、ポータルサイトのショッピングページに対応するショッピングキャストページを介してユーザに発行されてもよい。ショッピングモール広告主が発行権を購入すると、ショッピング広告登録システム１００にショッピングキャストが登録されてもよい。
【００４３】
また、ショッピングモール広告主は表示権を購入することによって、メインページにショッピングキャストを表示することのできる権利を取得する。例えば、発行権を購入したショッピングモール広告主が表示権を購入してもよい。メインページは、ショッピングキャストページよりもユーザに表示される確率が高いため広告効果が高い。したがって、ショッピングモール広告主は、発行権および表示権を共に購入することによって、自身のショッピングキャストをユーザに多く提供することができる。
【００４４】
ショッピングモール広告主が表示権を購入する場合、発行権と異なってショッピングキャストは直ちに登録されず、ショッピングモール広告主が入力した入札額に応じて入札がなされる。また、入札額の高い順に落札者が決定されると、落札者のショッピングキャストがメインページを介して表示されてもよい。また、落札者のショッピングキャストがショッピング広告登録システム１００に登録されてもよい。
【００４５】
図５は、本発明の一実施形態に係るショッピング広告登録システムにおける発行権の購入に関連する情報を示す図である。
【００４６】
図５に示すように、表５０１はショッピングモール広告主が購入した発行権の情報を表す。例えば、表５０１に示すように、ショッピングモール広告主は、発行権ＩＤ１２３４に対して４週間の期間中にショッピングキャクトを発行することのできる一般発行権を２００９年７月２２日に５０、０００ウォンで購入した。ショッピングモール広告主が発行権ＩＤ１２３４を介してショッピングキャストをショッピングキャストページに発行することのできる期間は、２００９年７月２７日から２００９年８月２７日までであり、現在、発行権ＩＤ１２３４は使用可能である。
【００４７】
例えば、ショッピングキャストの発行の自由度に応じて発行権を一般発行権と自由発行権とに区分してもよい。一般発行権は、予め設定された１つのテンプレートによるショッピングキャストを発行期間中にショッピングキャストページを介して発行することのできる権利としてもよい。また、自由発行権は、予め設定された複数のテンプレートを組み合わせて作製したショッピングキャストを発行期間中にショッピングキャストページの上位に当たるスペースを介して発行することのできる権利としてもよい。ショッピングモール広告主が発行権を購入する場合、ショッピング広告登録システム１００は、発行期間中にショッピングキャストを発行する対価としてショッピングモール広告主に一定の金額を課金してもよい。このため、ショッピングモール広告主は、発行権を購入する前にショッピング広告登録システム１００にチャージ金額を入力する必要がある。例えば、ショッピングキャストがショッピングキャストページを介して発行されても、必ずしもユーザに当該ショッピングキャストが表示されるものではなく、ユーザがショッピングキャストページを介して当該ショッピングキャストを検索した場合にはじめて当該ショッピングキャストが表示されてもよい。すなわち、発行権は、ショッピングモール広告主がショッピングキャストページを介してショッピングキャストを発行することのできる権利をショッピングモール広告主に付与しただけであって、常時ショッピングキャストがユーザに表示される権利をショッピングモール広告主に付与したわけではない。
【００４８】
表５０２に示すように、ショッピング広告登録システム１００には、ショッピングモール広告主がショッピングキャストの発行権を購入するための情報が入力されてもよい。具体的には、ショッピングモール広告主は、発行権の種類、発行権が発行される期間、発行権に基づきショッピングキャストが発行される開始日を選択してもよい。
【００４９】
図６は、本発明の一実施形態に係るショッピング広告登録システムにおけるショッピングキャストを発行するショッピングキャストページを示す図である。
【００５０】
図６に示すように、ショッピングキャストページ６００は、ショッピングキャストを検索するための検索ウィンドウ６０１、ショッピングモール目録６０２、ショッピングモールカテゴリー６０３、ショッピングモール名検索６０４、最近見たキャスト６０５のように構成されてもよい。また、ショッピングキャストページ６００は、順位付け基準設定ウィンドウ６０６、ショッピングキャスト６０７を含んでもよい。
【００５１】
ショッピングモール広告主が、ショッピングキャストページ６００にショッピングキャスト６０７を発行するためには、発行権を購入する必要がある。その後、発行権を購入したショッピングモール広告主のショッピングキャスト６０７がショッピングキャストページ６００を介して発行されてもよい。その後、ユーザはショッピングキャストページ６００を介して購入しようとする商品を販売するショッピングモール広告主のショッピングキャストを検索してもよい。その後、ユーザは、ショッピングキャストに含まれる販売商品に関連するリンクをクリックすることによって、ショッピングモール広告主の商品販売ページに接続することができる。
【００５２】
ショッピングキャスト６０７は、ショッピングモール名、商品の画像を含んでもよい。また、ショッピングキャスト６０７は、ユーザが所望するショッピングキャストを購読することができる「購読する」のボタンを備えてもよい。ユーザごとに購入しようとする商品が異なるため、ユーザーは、所望する商品を販売するショッピングキャストを購読することによって、当該ショッピングキャストが提供する商品情報を便利に受信することができる。図６に示すショッピングキャストページ６００の構成は一例に過ぎず、システムの状況に応じて変更されてもよい。
【００５３】
図７は、本発明の一実施形態に係るショッピング広告登録システムにおけるショッピングキャストを表示するメインページを示す図である。
【００５４】
メインページ７００は、ポータルサイトのトップページを意味する。図７に示すように、メインページ７００は、検索ウィンドウ７０１、探索バー７０２、広告領域（１）７０３、メイン領域７０４、サブ領域７０５、ログイン領域７０６、広告領域（２）７０７、ショッピングキャスト表示領域７０８を含んでもよい。このメインページ７００は一例に過ぎず、システムの構成に応じてメインページ７００の形態が変更されてもよい。
【００５５】
メインページ７００では、発行権および表示権を購入したショッピングモール広告主のショッピングキャストがショッピングキャスト表示領域７０８を介して表示されてもよい。すなわち、発行権のみを購入したショッピングモール広告主は、自身のショッピングキャストをショッピングキャストページにしか発行することができないが、発行権および表示権を購入したショッピングモール広告主は、ショッピングキャストをショッピングキャストページに発行することができるだけではなく、メインページ７００のショッピングキャスト表示領域７０８にも表示することができる。
【００５６】
図８は、本発明の一実施形態に係るショッピング広告登録システムにおけるショッピングキャストの発行権の購入過程とショッピングキャストに対する課金過程を示すフローチャートである。
【００５７】
図８に示すように、ショッピング広告登録システム１００は、発行権に対する購入プロセスと課金プロセスを行なってもよい。ステップＳ８０１において、ショッピング広告登録システム１００は、ショッピングモール広告主による発行権の購入要求を受信してもよい。例えば、ショッピングモール広告主が発行権に対応するチャージ金額を予め入力し、発行権に基づきショッピングキャストがショッピングキャストページに発行される期間、発行権が発行される開始日などを入力すれば、発行権の購入が完了する。このとき、ステップＳ８０６において、ショッピング広告登録システム１００は、課金プロセスを適用して発行権の購入に対して発行期間に応じた課金を行なってもよい。
【００５８】
その後、ステップＳ８０２において、ショッピング広告登録システム１００は、ショッピングモール広告主の広告を登録してもよい。言い換えれば、ショッピング広告登録システム１００はショッピングモール広告主のショッピングキャストを登録してもよい。
【００５９】
ステップＳ８０３において、ショッピング広告登録システム１００は、登録されたショッピングキャストのサービスを提供してもよい。例えば、ショッピング広告登録システム１００は、ページ提供システム１０１にショッピングキャストに対する登録情報を伝達することによって、ショッピングキャストサービスをユーザに提供してもよい。その後、ページ提供システム１０１は、ショッピングキャストをショッピングキャストページを介してユーザに発行してもよい。他の例として、ショッピング広告登録システム１００は、直接ショッピングキャストをショッピングキャストページを介してユーザに発行してもよい。
【００６０】
ステップＳ８０７において、ショッピング広告登録システム１００は、課金プロセスを適用してショッピングキャストに含まれる販売商品に関連するリンクを介してユーザによるクリックのログを収集してもよい。例えば、商品購入のためのリンクが適用されたショッピングキャストの商品の画像、商品説明テキストなどをユーザがクリックした場合、ショッピング広告登録システム１００がユーザによるクリックログを収集してもよい。
【００６１】
その後、ステップＳ８０８において、ショッピング広告登録システム１００は、クリックログのうち有効クリックのみを抽出してもよい。例えば、ショッピング広告登録システム１００は、ショッピングキャストに対する悪用（ａｂｕｓｉｎｇ）を防止するために、ユーザの悪意的なクリックを除外してもよい。また、ショッピングモール広告主が実際に利益を獲得した場合、課金を行うためにユーザがショッピングキャストを介してショッピングモール広告主のページにログインし、または訪問して、商品を購入した場合、ショッピング広告登録システム１００がショッピングキャストに対するユーザのクリックを有効クリックとして抽出してもよい。その後、ステップＳ８０９において、ショッピング広告登録システム１００は、有効クリック数に応じてショッピングモール広告主にクリック単価（ＣＰＣ：Cost Per Click）を課金してもよい。例えば、課金は毎日発生してもよく、ショッピングモール広告主が予め充填した金額から課金が差し引かれてもよい。
【００６２】
ステップＳ８０３において、ショッピングキャストがショッピングキャストページを介してユーザに発行された後、ショッピングキャストの発行期間が経過すると、ステップＳ８０４において、ショッピングモール広告主はショッピングキャストの発行権をアップデートしてもよい。すなわち、ショッピングモール広告主は、ショッピングキャストを発行する期間分の発行権を再び購入することにより、ショッピング広告登録システム１００に発行権のアップデートを要求してもよい。
【００６３】
ステップＳ８０５において、ショッピングキャストの発行権の発行期間が終了し、ショッピングモール広告主が追加的に発行権を購入しない場合、ショッピング広告登録システム１００は、当該ショッピングモール広告主のショッピングキャストをショッピングキャストに発行しない。すなわち、ショッピング広告登録システム１００は、当該ショッピングモール広告主のショッピングキャストに対するキャストサービスを終了する。
【００６４】
図９は、本発明の一実施形態に係るショッピング広告登録システムにおけるショッピングキャストの発行権および表示権の購入過程とショッピングキャストに対する課金過程を示すフローチャートである。
【００６５】
図９は、ショッピングモール広告主が発行権と表示権とを共に購入する場合を示す。ステップＳ９０１、ステップＳ９０８は、ステップＳ８０１およびステップＳ８０６と同一であるため、具体的な説明は省略する。
【００６６】
発行権の購入が完了した後、ステップＳ９０２においてショッピング広告登録システム１００は、ショッピングモール広告主から表示権に対する入札要求を受信してもよい。その後、ショッピングモール広告主は表示権の入札に参加してもよい。発行権を購入したショッピングモール広告主には表示権の入札を行う資格がある。ショッピングキャストはショッピングキャストページを介して発行されるため発行権について入札は行なわれないが、ショッピングキャストの表示権は、広告効果を向上させるためにメインページの一定のスペースにショッピングキャストを表示する権利であるため、表示することのできるショッピングキャストを制限する必要がある。
【００６７】
ステップＳ９０３において、ショッピング広告登録システム１００は、入札したショッピングモール広告主の中から入札額の高い順に表示権の落札者を決定してもよい。その後、ステップＳ９０９において、ショッピング広告登録システム１００は、ショッピングキャストをメインページに表示することのできる権利である表示権が与えられたショッピングモール広告主に対して落札価格を課金する。
【００６８】
ステップＳ９０４において、ショッピング広告登録システム１００は、発行権を購入したショッピングモール広告主のショッピングキャストと表示権を購入したショッピングモール広告主のショッピングキャストとを登録してもよい。また、ステップＳ９０５において、ショッピング広告登録システム１００は、発行権を購入したショッピングモール広告主のショッピングキャストをショッピングキャストページを介してユーザに発行してもよい。また、ステップＳ９０５において、ショッピング広告登録システム１００は、表示権を購入したショッピングモール広告主のショッピングキャストをメインページを介してユーザに表示してもよい。
【００６９】
ショッピングキャストがショッピングキャストページを介して発行され、またはメインページに表示される場合、ステップＳ９１０において、ショッピング広告登録システム１００は、ショッピングキャストに発生するユーザのクリックログを収集してもよい。ショッピング広告登録システム１００は、ショッピングキャストページを介して発行されたショッピングキャストおよびメインページを介して表示されたショッピングキャストに対して行われたクリックログのみを収集してもよい。
【００７０】
ステップＳ９１１において、ショッピング広告登録システム１００は、ショッピングキャストに対する有効クリックを抽出してもよい。また、ステップＳ９１２において、ショッピング広告登録システム１００は、ショッピングキャストに対する有効クリック数に応じてショッピングモール広告主にクリック単価（ＣＰＣ）を課金してもよい。発行権と表示権とを購入したショッピングモール広告主の場合、ショッピングキャストページを介して発行されたショッピングキャストおよびメインページを介して表示されたショッピングキャストに対するＣＰＣ課金が発生することがある。
【００７１】
ステップＳ９０６において、ショッピングキャストがショッピングキャストページを介してユーザに発行された後、ショッピングキャストの発行期間が経過すると、ステップＳ９０４において、ショッピングモール広告主は、ショッピングキャストの発行権を追加購入することによって発行権をアップデートしてもよい。すなわち、ショッピングモール広告主は、ショッピングキャストを発行する期間分の発行権を再び購入することによって、ショッピング広告登録システム１００に発行権のアップデートを要求してもよい。その後、ショッピング広告登録システム１００は、ショッピングモール広告主のショッピングキャストをアップデートしてもよい。
【００７２】
同様に、ショッピングキャストがメインページを介してユーザに発行された後、ショッピングキャストの表示期間が経過すれば、ステップＳ９０６において、ショッピングモール広告主は、ショッピングキャストの表示権を追加購入することによって表示権をアップデートしてもよい。すなわち、ショッピングモール広告主は、ショッピングキャストを表示する期間分の表示権を再び購入することによって、ショッピング広告登録システム１００に表示権のアップデートを要求してもよい。
【００７３】
ステップＳ９０６において、ショッピングキャストの発行権に基づく発行期間が終了し、ショッピングモール広告主が追加的に発行権を購入しない場合、ショッピング広告登録システム１００は、当該ショッピングモール広告主のショッピングキャストをショッピングキャストページに発行しない。すなわち、当該ショッピングモール広告主のショッピングキャストに対するキャストサービスを終了する。
【００７４】
ステップＳ９０７において、ショッピングキャストの発行権に基づく発行期間が終了し、ショッピングモール広告主が追加的に発行権を購入しない場合、ショッピング広告登録システム１００は、当該ショッピングモール広告主のショッピングキャストをショッピングキャストページに発行しない。すなわち、当該ショッピングモール広告主のショッピングキャストに対するキャストサービスを終了する。これは、ショッピングキャストの表示権についても同様である。
【００７５】
本発明の実施形態に係るショッピング広告登録方法は、コンピュータにより実現される多様な動作を実行するためのプログラム命令形態で実現され、コンピュータで読取可能な記録媒体に記録されてもよい。前記コンピュータ読取可能な記録媒体は、プログラム命令、データファイル、データ構造などを単独または組み合わせて含むこともできる。前記媒体に記録されるプログラム命令は、本発明の目的のために特別に設計され構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェア階層で作動するように構成されてもよい。
【００７６】
上記のように本発明は、一例として限定された実施形態と図面とによって説明したが、本発明は、上記の実施形態に限定されることなく、本発明が属する分野における通常の知識を有する者であれば、このような記載から多様な修正および変形が可能である。
【００７７】
したがって、本発明の範囲は説明された実施形態に限定されてはならず、後述する特許請求の範囲だけでなく、この特許請求の範囲と均等なものなどによって定められなければならない。
【符号の説明】
【００７８】
１００      ショッピング広告登録システム
１０１      ページ提供システム
１０２      ショッピングモール広告主
１０３      ショッピングキャストページ
１０４      メインページ
１０５      ユーザ
【図１】
2011154686.tif 000003
【図２】
2011154686.tif 000004
【図３】
2011154686.tif 000005
【図４】
2011154686.tif 000006
【図５】
2011154686.tif 000007
【図６】
2011154686.tif 000008
【図７】
2011154686.tif 000009
【図８】
2011154686.tif 000010
【図９】
2011154686.tif 000011